(57)【要約】【課題】  フィルム装填部において、フィルムフレームにフィルムガイド部材・アダプタ等を別途取付けることなくフィルムを装填可能とする。【解決手段】無端状に形成されたフィルムと、前記フィルムを支持するフィルムフレームとを備えた画像形成装置のフィルム装填部において、フィルム着脱時のガイド部材に２軸のパイプ形状部材とシート部材とを用い、前記パイプ部材とシート部材は貼付、接着等によって一体となっていることを特徴とする。【選択図】  図１
2006227372.tif 000002
【特許請求の範囲】
【請求項１】
無端状に形成されたフィルムと、前記フィルムを支持するフィルムフレームとを備えた画像形成装置のフィルム装填部において、フィルム着脱時のガイド部材に２軸のパイプ形状部材とシート部材とを用いたことを特徴とするフィルム装填具。
【請求項２】
前記パイプ部材とシート部材は貼付、接着等によって一体となっていることを特徴とする請求項１記載のフィルム装填具。
【請求項３】
前記パイプ部材に紙管を用いたことを特徴とする請求項１記載のフィルム装填具。
【請求項４】
前記パイプ部材とシート部材は前記フィルムの輸送・保管に使用する梱包部材としたことを特徴とする請求項１記載のフィルム装填具。
【請求項５】
前記フィルムフレームに、前記パイプ部材を固定するための勘合部材を設けたことを特徴とする請求項１記載のフィルム装填具。
【請求項６】
前記フィルムフレームに、前記シート部材を保持するための保持部を設けたことを特徴とする請求項１記載のフィルム装填具。
【発明の詳細な説明】
【技術分野】
【０００１】
本発明は画像形成装置のフィルム装填具に関するものであり、特に感光体、中間転写体、転写フィルム、搬送フィルム、定着フィルム等、電子写真式印刷装置の各部に用いられるフィルムの装填に関するものである。
【背景技術】
【０００２】
図３に、従来技術のフィルム装填法の概略図を示す。フィルムについては、感光体フィルム、中間転写体フィルム、転写フィルム、搬送フィルム、定着フィルム等が挙げられる。図において、１はフィルム、２ａ、２ｂはパイプ、５ａ、５ｂは支持ローラ、８ａ、８ｂはアダプタ、９はガイド部材、１０はフィルムフレームである。
【０００３】
フィルム１を装填する際は、フィルムフレーム１０を図示しない画像形成装置の本体から引き出し、図の様にアダプタ８ａ、８ｂ、及びガイド部材９をフィルムフレーム１０に取り付け、その後、フィルム１を掛けた状態のパイプ２ａ、２ｂをそれぞれアダプタ８ａ、８ｂに挿入してフィルム１を支持する。ガイド部材９にはテーパが設けられており、オペレータがフィルム１をフィルムフレーム１０に向けて装填する際にフィルム１中央部に発生するたるみは、ガイド部材９のテーパによって保持される形で解消される。また、フィルム１はパイプ２ａ、２ｂにより支持されることでフィルムの落下を防止する。これらにより、表面を傷つけることなくフィルム１をフィルムフレーム１０に装填する仕組みである（例えば、特許文献１参照。）。
【０００４】
近年の超高速の画像形成装置においては、フィルムの周長は２ｍ以上に及び、その奥行き方向（フィルム装填方向）の長さも６０ｃｍ以上と長大化・幅広化しつつある。そのため、このような従来方式のフィルム装填法では長大で幅広なフィルムに対応するべく、ガイド部材９について、テーパ部の長さおよび装填時のフィルム１中央部のたるみを保持する区間の幅を長くとる必要があるため、ガイド部材９の奥行き方向（フィルム装填方向）および幅方向（フィルム周長方向）の長さが大きくなり、ガイド部材９が大柄になってしまうという問題があった。また、フィルムフレーム１０にアダプタ８ａ、８ｂ、及びガイド部材９を別途取付ける必要がある分、フィルム装填に時間が掛かり、フィルム装填具のコストも嵩むという問題があった。
【０００５】
【特許文献１】特開２００４−７０２７５号公報
【発明の開示】
【発明が解決しようとする課題】
【０００６】
本発明の目的は、フィルム着脱時にフィルム装填部においてフィルムフレームにフィルムガイド部材・アダプタ等を別途取付けることなくフィルムを装填可能とすることである。
【課題を解決するための手段】
【０００７】
上記目的は、フィルムの輸送・保管に使用する、２本の紙管をシート部材で繋いだ梱包部材をフィルムフレームに取付けてフィルムを保持することにより達成される。
【発明の効果】
【０００８】
本発明によれば、フィルムフレームにフィルムガイド部材・アダプタ等を別途取付けることなくフィルム装填が可能となるため、フィルム装填時間の短縮、フィルム装填具のコスト低減が可能となる。
【発明を実施するための最良の形態】
【０００９】
以下に、本発明を実施例により説明する。
【００１０】
図１は、本発明の実施例に基づくフィルム装填法の一例を示す図である。図において、１はフィルム、２ａ、２ｂはパイプ、３はガイドシート、４はフィルムフレーム、５ａ、５ｂは支持ローラ、６ａ、６ｂはフランジである。フランジ６ａ、６ｂはフィルムフレーム４に支持ローラ５ａ、５ｂを回転可能に取付けるための部材である。フィルムフレーム４にはガイドシート３の片側端部を保持するための保持部７が設けられている。パイプ２ａ、２ｂとガイドシート３は貼付・接着等による一体構造となっており、フィルム１の輸送・保管に使用する梱包部材であるため、パイプ２ａ、２ｂの材質の一例としては紙管、ガイドシート３の材質の一例としてはプラスチックシートが挙げられる。
【００１１】
フィルム１を装填する際は、フィルムフレーム４を図示しない画像形成装置の本体から引き出した後、フィルム１を掛けた状態のパイプ２ａ、２ｂとガイドシート３の一体部材について、先ずガイドシート３の片側端部をフィルムフレーム４に設けられた保持部７に掛けて保持し、続いてパイプ２ａ、２ｂをフランジ６ａ、６ｂに挿入する。フランジ６ａ、６ｂにはパイプを挿入するための溝を設けており、パイプ２ａ、２ｂの外径Ｄ１と溝の外径Ｄ２ａ、２ｂを中間ばめの寸法関係とし、パイプ２ａ、２ｂの内径Ｄ３と溝の内径Ｄ４については、溝の入口ではすきまばめ、溝の最深部ではしまりばめの寸法関係とすることでパイプ２ａ、２ｂをほぼ水平に固定できるようにする。これらの操作により、図２ａ、２ｂに示すようにフィルムフレーム４の保持部７からパイプ２ａ、２ｂの端部（フィルム装填方向とは逆方向の端部）に向かってガイドシート３によるテーパが形成される。
【００１２】
このようにして形成されたガイドシート３によるテーパによってフィルム１の中央部を、パイプ２ａ、２ｂによりフィルム１の両端部を保持しつつ、フィルム１をフィルムフレーム４に向けて装填することにより、フィルムフレーム４にフィルムガイド部材・アダプタ等を別途取付けることなくフィルムを装填することが可能となる。
【図面の簡単な説明】
【００１３】
【図１】本発明のフィルム装填具を示す斜視図。
【図２】本発明のフィルム装填具を示す縦断面図。
【図３】従来のフィルム装填具を示す斜視図。
【符号の説明】
【００１４】
１はフィルム、２ａ、２ｂはパイプ、３はガイドシート、４はフィルムフレーム、５ａ、５ｂは支持ローラ、６ａ、６ｂはフランジ、７は保持部、８ａ、８ｂはアダプタ、９はガイド部材、１０はフィルムフレームである。
【図１】
2006227372.tif 000003
【図２】
2006227372.tif 000004
【図３】
2006227372.tif 000005